(57)【要約】【課題】排出トレイの排出方向側からはみ出る排出シートを確実に停止して保持することにより落下を防止する。そして汎用性、小型化、排出線速アップの高生産性にも優れてシート処理をすることができる排出シート停止保持装置、及びその排出シート停止保持装置を備えるシート処理装置を提供する。【解決手段】排出トレイ５０の排出シート載置面５１の上を通過して排出方向側にはみ出る排出シートＳの先端部Ｓ１に接触して前記排出シートＳを停止させるエンドフェンス１と、エンドフェンス１を前記排出シート載置面５１の端面５１ａから排出方向側に離間する所定位置に配置して取り付ける受け台２と、受け台２を排出シート載置面５１の端面５１ａから折り曲げた形状の接続面５２に当接して固定する接続固定手段３と、を備える。【選択図】図１
2010143717.tif 000002
【特許請求の範囲】
【請求項１】
装置本体から排出トレイに排出されて排出方向にはみ出る排出シートを停止させて保持する排出シート停止保持装置において、排出トレイの排出シート載置面上を通過して排出方向側にはみ出る排出シートの先端部に接触して前記排出シートを停止させるエンドフェンスと、前記エンドフェンスを前記排出シートの排出方向端縁から前記排出方向側に離間した所定位置に配置して取り付ける受け台と、前記受け台を前記排出シート載置面の前記端面から折り曲げた形状の接続面に当接して固定する接続固定手段と、を備えることを特徴とする排出シート停止保持装置。
【請求項２】
請求項１に記載の排出シート停止保持装置において、前記エンドフェンスは、下端側を支点として前記受け台に対して回動可能に保持する回動保持手段を備えることを特徴とする排出シート停止保持装置。
【請求項３】
請求項２に記載の排出シート停止保持装置において、前記回動保持手段は、前記受け台における前記排出シート載置面からはみ出る前記排出シートの前記排出方向側の端縁側で前記エンドフェンスの下端側に回動支点を備えることを特徴とする排出シート停止保持装置。
【請求項４】
請求項２または３に記載の排出シート停止保持装置において、前記回動保持手段は、前記エンドフェンスを回動させて前記排出シート載置面よりも低い位置に固定することを特徴とする排出シート停止保持装置。
【請求項５】
請求項２、３または４に記載の排出シート停止保持装置において、前記回動保持手段は、前記エンドフェンスと前記受け台との間に配置される回動軸と、前記回動軸を挿入して前記エンドフェンスを回動する回動軸穴と、から成ることを特徴とする排出シート停止保持装置。
【請求項６】
請求項２乃至５のいずれか一項に記載の排出シート停止保持装置において、前記回動保持手段は、前記エンドフェンスを前記排出シート載置面から前記排出方向側にはみ出る前記排出シートの前記先端部に接触させて前記排出シートを停止させる位置に固定させる停止位置固定手段を備えることを特徴とする排出シート停止保持装置。
【請求項７】
請求項６に記載の排出シート停止保持装置において、前記停止位置固定手段は、前記エンドフェンスと前記受け台の相対面に形成する凸形状部と、前記エンドフェンスが前記排出シート載置面から前記排出方向側にはみ出る前記排出シートの前記先端部に接触して前記排出シートを停止させる位置で前記凸形状部が収まる接触位置凹形状部を備えることを特徴とする排出シート停止保持装置。
【請求項８】
請求項２乃至７のいずれか一項に記載の排出シート停止保持装置において、前記回動保持手段は、前記排出シート載置面から前記排出方向側にはみ出る前記排出シートの高さよりも前記エンドフェンスを低い位置に退避させて前記排出シートを前記排出方向側へ通過させる位置に前記エンドフェンスを固定させる通過位置固定手段を備えることを特徴とする排出シート停止保持装置。
【請求項９】
請求項８に記載の排出シート停止保持装置において、前記通過位置固定手段は、前記エンドフェンスが前記排出シート載置面から前記排出方向側にはみ出る前記排出シートの高さよりも低い位置に退避して前記排出シートを通過させる位置で前記凸形状部が収まる退避位置凹形状部を備えることを特徴とする排出シート停止保持装置。
【請求項１０】
請求項７、８または９に記載の排出シート停止保持装置において、前記凸形状部は、先端に曲面を備えることを特徴とする排出シート停止保持装置。
【請求項１１】
請求項７乃至１０のいずれか一項に記載の排出シート停止保持装置において、前記凸形状部は、前記エンドフェンスの回動に伴って前記接触位置凹形状部と前記退避位置凹形状部との間を摺動する摺動案内溝を備えることを特徴とする排出シート停止保持装置。
【請求項１２】
請求項１乃至１１のいずれか一項に記載の排出シート停止保持装置において、前記受け台は、前記排出方向側にはみ出る前記排出シートを載置する前記排出シート載置面より低い位置に前記排出シートを保持する排出シート保持面を備えることを特徴とする排出シート停止保持装置。
【請求項１３】
請求項１乃至１２のいずれか一項に記載の排出シート停止保持装置において、前記接続固定手段は、前記受け台を前記排出トレイの前記接続面に押し付け力を付勢して前記受け台を前記接続面に当接して固定する押し付け部材であることを特徴とする排出シート停止保持装置。
【請求項１４】
請求項１３に記載の排出シート停止保持装置において、前記押し付け部材は、弾性材であることを特徴とする排出シート停止保持装置。
【請求項１５】
請求項１３または１４に記載の排出シート停止保持装置において、前記押し付け部材は、摩擦部材を備えることを特徴とする排出シート停止保持装置。
【請求項１６】
請求項１３、１４または１５に記載の排出シート停止保持装置において、前記押し付け部材は、締め付け部材を備えることを特徴とする排出シート停止保持装置。
【請求項１７】
請求項１３乃至１６項のいずれか一項に記載の排出シート停止保持装置において、前記押し付け部材は、押し付け磁石部材であることを備えることを特徴とする排出シート停止保持装置。
【請求項１８】
請求項１３乃至１７項のいずれか一項に記載の排出シート停止保持装置において、前記押し付け部材が前記受け台を前記排出トレイの前記接続面に付勢する押し付け力は４０Ｎ（ニュ―トン）以上であることを特徴とする排出シート停止保持装置。
【請求項１９】
請求項１乃至１２のいずれか一項に記載の排出シート停止保持装置において、前記接続固定手段は、前記受け台を前記排出トレイの前記接続面に接着して固定する接着部材であることを特徴とする排出シート停止保持装置。
【請求項２０】
請求項１９に記載の排出シート停止保持装置において、前記接着部材は、両面接着テープであることを特徴とする排出シート停止保持装置。
【請求項２１】
シートを処理して排出するシート処理装置において、シートを処理するシート処理ユニットと、前記シート処理ユニットで処理された前記排出シートが排出さて載置される前記排出トレイと、前記排出トレイに排出されて前記排出方向側にはみ出る前記排出シートを停止させて保持する請求項１乃至２０のいずれか一項に記載の排出シート停止保持装置と、を備えることを特徴とするシート処理装置。
【請求項２２】
請求項２１に記載のシート処理装置において、前記シート処理ユニットは、シート形状の原稿を搬送しながら原稿画像の読み取りを行って前記排出シートとして排出する原稿画像読取処理ユニットであることを特徴とするシート処理装置。
【請求項２３】
請求項２１に記載のシート処理装置において、前記シート処理ユニットは、シート形状の被記録媒体を搬送しながら記録画像の形成を行って前記排出シートとして排出する画像形成処理ユニットであることを特徴とするシート処理装置。
【請求項２４】
請求項２３に記載のシート処理装置において、前記画像形成処理ユニットは、電子写真方式の作像プロセスで記録画像を形成することを特徴とするシート処理装置。
【請求項２５】
請求項２１に記載のシート処理装置において、前記シート処理ユニットは、記録画像を形成した後のシート形状の被記録媒体を搬送しながら画像形成後の後処理を行って前記排出シートとして排出する後処理ユニットであることを特徴とするシート処理装置。
【請求項２６】
請求項２１乃至２５のいずれか一項に記載のシート処理装置において、前記排出トレイは、前記排出シート載置面と前記接続面とを有することを特徴とするシート処理装置。
【請求項２７】
請求項２１乃至２６のいずれか一項に記載のシート処理装置において、前記接続面は、前記排出シート載置面の前記端面から下方向に折り曲げた形状に形成されていることを特徴とするシート処理装置。
【請求項２８】
請求項２１乃至２７のいずれか一項に記載のシート処理装置において、前記排出トレイの前記接続面は、磁性材であることを特徴とするシート処理装置。
【発明の詳細な説明】
【技術分野】
【０００１】
本発明は、排出シート停止保持装置、及びその排出シート停止保持装置を備えるシート処理装置に関する。詳しくは、排出トレイに排出されて排出方向側にはみ出る排出シートを停止させて保持する排出シート停止保持装置に関する。
【背景技術】
【０００２】
画像形成装置等に装備される原稿読み取り装置における排出シート停止保持装置は、シートを回収する排紙トレイを備えている。
例えば、原稿読み取り装置では、原稿束を積載した原稿トレイから一枚毎に分離された原稿が繰り出され、この原稿が搬送される過程で光学系部材に対面して原稿面が読み取り走査された後に、原稿が排紙トレイ上に排出される。
排紙トレイの排出方向長さ以上の長さを有するシートが排出される場合には、排紙トレイ上からの原稿落下が発生することがある。
この対応策としては、特許文献１には、衝止片が排出方向前側に位置する状態でストッパ部材を排紙トレイに形成する溝部内に挿入して引き出す方向に摺動させる構成が開示されている。そして衝止片の位置を排出されるシートの排出方向前端縁の位置に位置決めして停止させることは周知である。
然し、ストッパ部材を排紙トレイに形成する溝形状の内部に挿入して引き出す方向に摺動させるように取り付ける構成では、それぞれの溝形状に依存するために汎用性が無い。その為、新たに各装置の排紙トレイ毎に設計変更を行って加工を施してストッパ部材を取り付けなければならない。
【０００３】
更に、シート形状の原稿を搬送しながら画像を読み取る画像読取装置は、筐体の小型化、読み取り線速アップ等の高生産性が求められている。然し、読み取り線速アップ等の為に高速排紙を行うとシート形状の原稿が排紙トレイから飛び出して落下してしまう。この落下を防止するためには、排紙時に搬送線速を落とす等の対応が採られているが、これでは生産性が低下する。
このようなところから、特許文献２には、シート形状の原稿を反転させるために使用される反転トレイが動作可能に設けられ、原稿排紙時に反転トレイが排紙領域に向けて突出動作されると共に反転トレイを多段階の位置で止めることできるようにした構成が開示されている。この構成により、反転トレイが排紙される原稿と接触して原稿の線速を低下させ、排紙トレイ上からの原稿落下を防いでいる。
それでも、排紙の線速を更に増速させた場合や排紙トレイの排出方向長以上の長さを有するシート形状の原稿を排紙する場合には、排紙トレイ上からの原稿落下が発生する確率が大きくなることに変わりがなかった。
【特許文献１】特許第３７４２７３４号
【特許文献２】特開２００６−２４８６８１公報
【発明の開示】
【発明が解決しようとする課題】
【０００４】
従来の排出シート停止保持装置、及びその排出シート停止保持装置を備えるシート処理装置は、排出トレイの排出方向長以上の長さを有するシートが排出される場合には、排出トレイ上からのシート落下が発生する。このようなシート落下を防止するストッパ部材を排出トレイに形成する溝形状の内部に挿入して引き出す方向に摺動させるように取り付けられる構成では、それぞれの溝形状に依存するために汎用性が無い。その為、新たに各装置の排出トレイ毎に設計変更を行って加工を施してストッパ部材を取り付けなければならない。
それだけでなく、筐体の小型化、排出線速アップの高生産性が求められて高速排出を行うとシートが排出トレイから飛び出してしまうので排出時の線速を落とす等の対応が採られているが、これでは生産性が低下する。そこで反転トレイが排出シートと接触し線速を低下させて排出トレイからの飛び出しを防止する。それでも排出の線速を更に増速させた場合や排出トレイの排出方向長以上の長さを有するシートを排出する場合には、排出トレイ上からのシート落下が発生する確率が大きくなると言う問題が発生していた。
そこで本発明の課題は、このような問題点を解決するものである。即ち、排出トレイの排出方向側から排出シートが不整列状態ではみ出たり、落下する不具合を確実に停止して保持することにより落下を防止する。そして汎用性、小型化、排出線速アップの高生産性にも優れてシート処理をすることができる排出シート停止保持装置、及びその排出シート停止保持装置を備えるシート処理装置を提供することを目的とする。
【課題を解決するための手段】
【０００５】
上記目的を達成するために、請求項１に記載の本発明は、排出トレイに排出されて排出方向にはみ出る排出シートを停止させて保持する排出シート停止保持装置において、排出トレイの排出シート載置面の上を通過して排出方向側にはみ出る排出シートの先端部に接触して前記排出シートを停止させるエンドフェンスと、前記エンドフェンスを前記排出シート載置面の端面から前記排出方向側に離間する所定位置に配置して取り付ける受け台と、前記受け台を前記排出シート載置面の前記端面から折り曲げた形状の接続面に当接して固定する接続固定手段と、を備える排出シート停止保持装置であることを特徴とする。
また、請求項２に記載の本発明は、請求項１に記載の排出シート停止保持装置において、前記エンドフェンスは、下端側を支点として前記受け台に対して回動可能に保持する回動保持手段を備える排出シート停止保持装置であることを特徴とする。
また、請求項３に記載の本発明は、請求項２に記載の排出シート停止保持装置において、前記回動保持手段は、前記受け台における前記排出シート載置面からはみ出る前記排出シートの前記排出方向側の端縁側で前記エンドフェンスの下端側に回動支点を備える排出シート停止保持装置であることを特徴とする。
【０００６】
また、請求項４に記載の本発明は、請求項２または３に記載の排出シート停止保持装置において、前記回動保持手段は、前記エンドフェンスを回動させて前記排出シート載置面よりも低い位置に固定する排出シート停止保持装置であることを特徴とする。
また、請求項５に記載の本発明は、請求項２、３または４に記載の排出シート停止保持装置において、前記回動保持手段は、前記エンドフェンスと前記受け台の間に配置される回動軸と、前記回動軸を挿入して前記エンドフェンスを回動する回動軸穴と、から成る排出シート停止保持装置であることを特徴とする。
また、請求項６に記載の本発明は、請求項２乃至５のいずれか一項に記載の排出シート停止保持装置において、前記回動保持手段は、前記エンドフェンスを前記排出シート載置面から前記排出方向側にはみ出る前記排出シートの前記先端部に接触させて前記排出シートを停止させる位置に固定させる停止位置固定手段を備える排出シート停止保持装置であることを特徴とする。
また、請求項７に記載の本発明は、請求項６に記載の排出シート停止保持装置において、前記停止位置固定手段は、前記エンドフェンスと前記受け台の相対面に形成する凸形状部と、前記エンドフェンスが前記排出シート載置面から前記排出方向側にはみ出る前記排出シートの前記先端部に接触して前記排出シートを停止させる位置で前記凸形状部が収まる接触位置凹形状部を備える排出シート停止保持装置であることを特徴とする。
【０００７】
また、請求項８に記載の本発明は、請求項２乃至７のいずれか一項に記載の排出シート停止保持装置において、前記回動保持手段は、前記排出シート載置面から前記排出方向側にはみ出る前記排出シートの高さよりも前記エンドフェンスを低い位置に退避させて前記排出シートを前記排出方向側へ通過させる位置に前記エンドフェンスを固定させる通過位置固定手段を備える排出シート停止保持装置であることを特徴とする。
また、請求項９に記載の本発明は、請求項８に記載の排出シート停止保持装置において、前記通過位置固定手段は、前記エンドフェンスが前記排出シート載置面から前記排出方向側にはみ出る前記排出シートの高さよりも低い位置に退避して前記排出シートを通過させる位置で前記凸形状部が収まる退避位置凹形状部を備える排出シート停止保持装置であることを特徴とする。
また、請求項１０に記載の本発明は、請求項７、８または９に記載の排出シート停止保持装置において、前記凸形状部は、先端に曲面を備える排出シート停止保持装置であることを特徴とする。
また、請求項１１に記載の本発明は、請求項７乃至１０のいずれか一項に記載の排出シート停止保持装置において、前記凸形状部は、前記エンドフェンスの回動に伴って前記接触位置凹形状部と前記退避位置凹形状部の間を摺動する摺動案内溝を備える排出シート停止保持装置であることを特徴とする。
また、請求項１２に記載の本発明は、請求項１乃至１１のいずれか一項に記載の排出シート停止保持装置において、前記受け台は、前記排出方向側にはみ出る前記排出シートを載置する前記排出シート載置面より低い位置に前記排出シートを保持する排出シート保持面から成る排出シート停止保持装置であることを特徴とする。
【０００８】
また、請求項１３に記載の本発明は、請求項１乃至１２のいずれか一項に記載の排出シート停止保持装置において、前記接続固定手段は、前記受け台を前記排出トレイの前記接続面に押し付け力を付勢して前記受け台を前記接続面に当接して固定する押し付け部材である排出シート停止保持装置であることを特徴とする。
また、請求項１４に記載の本発明は、請求項１３に記載の排出シート停止保持装置において、前記押し付け部材は、弾性材である排出シート停止保持装置であることを特徴とする。
また、請求項１５に記載の本発明は、請求項１３または１４に記載の排出シート停止保持装置において、前記押し付け部材は、摩擦部材を備える排出シート停止保持装置であることを特徴とする。
また、請求項１６に記載の本発明は、請求項１３、１４または１５に記載の排出シート停止保持装置において、前記押し付け部材は、締め付け部材を備える排出シート停止保持装置であることを特徴とする。
また、請求項１７に記載の本発明は、請求項１３乃至１６項のいずれか一項に記載の排出シート停止保持装置において、前記押し付け部材は、押し付け磁石部材であることを備える排出シート停止保持装置であることを特徴とする。
【０００９】
また、請求項１８に記載の本発明は、請求項１３乃至１７項のいずれか一項に記載の排出シート停止保持装置において、前記押し付け部材が前記受け台を前記排出トレイの前記接続面に付勢する押し付け力は４０Ｎ（ニュートン）以上である排出シート停止保持装置であることを特徴とする。
また、請求項１９に記載の本発明は、請求項１乃至１２のいずれか一項に記載の排出シート停止保持装置において、前記接続固定手段は、前記受け台を前記排出トレイの前記接続面に接着して固定する接着部材である排出シート停止保持装置であることを特徴とする。
また、請求項２０に記載の本発明は、請求項１９に記載の排出シート停止保持装置において、前記接着部材は、両面接着テープである排出シート停止保持装置であることを特徴とする。
【００１０】
また、請求項２１に記載の本発明は、シートを処理して排出するシート処理装置において、シートを処理するシート処理ユニットと、前記シート処理ユニットで処理された前記排出シートが排出さて載置される前記排出トレイと、前記排出トレイに排出されて前記排出方向側にはみ出る前記排出シートを停止させて保持する請求項１乃至２０のいずれか一項に記載の排出シート停止保持装置と、を備えるシート処理装置であることを特徴とする。
また、請求項２２に記載の本発明は、請求項２１に記載のシート処理装置において、前記シート処理ユニットは、シート形状の原稿を搬送しながら原稿画像の読み取りを行って前記排出シートとして排出する原稿画像読取処理ユニットであるシート処理装置であることを特徴とする。
また、請求項２３に記載の本発明は、請求項２１に記載のシート処理装置において、前記シート処理ユニットは、シート形状の被記録媒体を搬送しながら記録画像の形成を行って前記排出シートとして排出する画像形成処理ユニットであるシート処理装置であることを特徴とする。
また、請求項２４に記載の本発明は、請求項２３に記載のシート処理装置において、前記画像形成処理ユニットは、電子写真方式の作像プロセスで記録画像を形成するシート処理装置であることを特徴とする。
【００１１】
また、請求項２５に記載の本発明は、請求項２１に記載のシート処理装置において、前記シート処理ユニットは、記録画像を形成した後のシート形状の被記録媒体を搬送しながら画像形成後の後処理を行って前記排出シートとして排出する後処理ユニットであるシート処理装置であることを特徴とする。
また、請求項２６に記載の本発明は、請求項２１乃至２５のいずれか一項に記載のシート処理装置において、前記排出トレイは、前記排出シート載置面と前記接続面とから成るシート処理装置であることを特徴とする。
また、請求項２７に記載の本発明は、請求項２１乃至２６のいずれか一項に記載のシート処理装置において、前記接続面は、前記排出シート載置面の前記端面から下方向に折り曲げた形状に形成されているシート処理装置であることを特徴とする。
また、請求項２８に記載の本発明は、請求項２１乃至２７のいずれか一項に記載のシート処理装置において、前記排出トレイの前記接続面は、磁性材であるシート処理装置であることを特徴とする。
【発明の効果】
【００１２】
本発明によれば、排出トレイの排出方向側からはみ出る排出シートを確実に停止して保持することにより落下を防止する。そして、汎用性、小型化、排出線速アップの高生産性にも優れてシート処理をすることができる排出シート停止保持装置、及びその排出シート停止保持装置を備えるシート処理装置を提供することができる。
【発明を実施するための最良の形態】
【００１３】
以下に、本発明の実施形態を、図面を参照して詳細に説明する。
図１は、本発明の実施の形態例にかかる排出シート停止保持装置１０の基本構成の正面図である。図２は、本発明の実施の形態例にかかる排出シート停止保持装置１０の概略外観の斜視図である。
図１と図２においては、排出シート停止保持装置１０は、原稿画像読取装置や画像形成装置（装置本体）から排出トレイ５０上に排出されてきて排出方向Ａ側にはみ出る排出シートＳを停止させて保持する装置である。排出シート停止保持装置１０は、排出トレイ５０の排出シート載置面５１の上を通過して排出方向Ａ側にはみ出ようとする排出シートＳの先端部Ｓ１に接触して停止させるエンドフェンス１を備えている。そして、エンドフェンス１を排出シート載置面５１の端面５１ａから排出方向Ａ側に離間する所定位置に配置して取り付ける受け台２を備えている。更に、受け台２を排出シート載置面５１の端面５１ａから折り曲げた形状の接続面５２に当接して固定する接続固定手段３を備えている。
エンドフェンス１は、回動保持手段１１の回動軸１１ｂと回動軸穴１１ｃにより下端側を回動支点１１ａとして受け台２に対して上下方向へ回動可能に保持されている。
【００１４】
回動保持手段１１は、エンドフェンス１の接触面４を排出シート載置面５１から排出方向Ａ側にはみ出る先端部Ｓ１に接触させて排出シートＳを停止させる開時状態の位置に固定させる停止位置固定手段１２を備えている。
停止位置固定手段１２は、エンドフェンス１と受け台２の相対面に形成する凸形状部１２ａを備えている。そして、エンドフェンス１の接触面４が排出シート載置面５１から排出方向Ａ側にはみ出る排出シートＳの先端部Ｓ１に接触して排出シートＳを停止させる位置で凸形状部１２ａが収まる接触位置凹形状部１２ｂを備えている。
回動保持手段１１は、排出シート載置面５１から排出方向Ａ側にはみ出る排出シートＳの高さよりもエンドフェンス１を低い位置に退避させる。そして、排出シートＳを排出方向Ａ側へ通過させる閉時状態の位置にエンドフェンス１を固定させる通過位置固定手段１３を備えている。
通過位置固定手段１３は、エンドフェンス１が排出シート載置面５１から排出方向Ａ側にはみ出る排出シートＳの高さよりも低い位置に退避させる。そして、排出シートＳを通過させる位置で凸形状部１２ａが収まる退避位置凹形状部１３ａを備えている。
【００１５】
エンドフェンス１は、接続固定手段３の押し付け部材（板バネ等の弾性部材）３０により受け台２を接続面５２に当接して固定することにより排出トレイ５０の排出シート載置面５１の排出方向Ａ側の延長線上の位置に固定される。即ち、エンドフェンス１の接触面４は、停止位置固定手段１２により排出シート載置面５１から排出方向Ａ側にはみ出る排出シートＳの先端部Ｓ１に接触させて排出シートＳを停止させる位置に固定される。
そして、排出ローラ対５３から排出された排出シートＳが、排出シート載置面５１上の端面５１ａより更に送り出される。
然し、エンドフェンス１の接触面４が、排出シートＳの先端部Ｓ１と接触することにより、排出されて排出トレイ５０の排出シート載置面５１からはみ出た排出シートＳを確実に停止させることができるようになっている。
受け台２の排出シート保持面２０の高さは、排出方向Ａ側にはみ出る排出シートＳを載置する排出シート載置面５１より低い位置で排出シートＳを保持する高さになっている。
従って、排出方向Ａ側に排出シート載置面５１からはみ出る排出シートＳが、排出ローラ対５３を抜ける前に受け台２の側面に衝突して排出シートＳの詰まり等の搬送不良の発生を防止して確実に保持することができる。
【００１６】
接続固定手段３は、押し付け部材３０により、受け台２をシート処理装置１００の排出トレイ５０の接続面５２に着脱可能に当接して固定することができるようになっている。
押し付け部材３０は、一端部を受け台２に固定する曲げ部３０ａと、他端部で押し付け力を付勢して接続面５２に当接して固定することができるようになっている。
押し付け部材３０に弾性材を用いることで、その弾性力によって受け台２を排出トレイ５０の接続面５２に簡単に押し付け力を付勢して、受け台２を接続面５２に当接して確実に固定することができる。
受け台２と排出トレイ５０の接続面５２との接続に押し付け部材３０に弾性材を用いることにより、排出トレイ５０等にも加工を施すことなく受け台２を接続面５２に接続して固定することができる。
また、排出トレイ５０の接続面５２の厚みの違いにも対応できるので、シート処理装置１００のいろいろな種類の原稿画像読取装置や画像形成装置等にも排出シート停止保持装置１０を容易に取り付けまたは取り外すこともできる。
【００１７】
押し付け部材３０は、受け台２と接続面５２との間に、例えば、ゴムシートのような摩擦係数の高い部材の滑り止めシート等の摩擦部材３１が設置されている。これにより排出シート停止保持装置１０の水平方向の位置が外力により排出トレイ５０の位置に対してずれることを防止することができる。
他方、押し付け部材３０の弾性材の弾性力に抗して押し付け力の付勢を解除すれば、受け台２を接続面５２から離間することも容易にできる。
従って、汎用性にも優れている。その為、新たに各装置に設計変更を行って加工を施してストッパ部材等を取り付ける必要が生じない。
【００１８】
図３は、本発明の実施の形態例にかかる排出シート停止保持装置１０におけるエンドフェンス１の回動状態を示す正面図である。
図３において、エンドフェンス１は、下端側に設けられた回動保持手段１１の回動軸１１ｂを回動支点１１ａとして、受け台２に対して矢印Ｂ方向の開時状態と閉時状態間の回動範囲を回動可能に接続されている。
受け台２に設けられた回動軸１１ｂを挿入する回動軸穴１１ｃは、受け台２の排出シート載置面５１の端面５１ａより排出方向Ａ側の離れた位置に配置されている。
その為に、排出ローラ対５３からエンドフェンス１の接触面４までの距離を長くすることになり、排出シート載置面５１上に収まるシートＳのサイズに余裕を持たせることができる。
受け台２には、接続固定手段３の弾性材の押し付け部材３０が固定されており、これにより受け台２は接続面５２に接続して固定される。接続面５２に弾性材の押し付け部材３０を取り付けた場合に付勢される押し付け力は４０Ｎ（ニユ―トン）以上に設定されている。また、受け台２と接続面５２と接する面には滑り止めシート等の摩擦部材３１が取り付けられている為に、エンドフェンス１が回動時等でも確実に接続して固定されている。
【００１９】
図４は、本発明の実施の形態例にかかる排出シート停止保持装置１０におけるエンドフェンス１が開時状態の正面図である。図５は、本発明の実施の形態例にかかる排出シート停止保持装置１０におけるエンドフェンス１が閉時状態の正面図である。
図４と図５において、図４は、エンドフェンス１の接触面４が、排出シート載置面５１から排出方向Ａ側にはみ出る排出シートＳの先端部Ｓ１に接触して停止させる。そして、排出シートＳの束を排出シート保持面２０の上に載置する開時状態を示す。
【００２０】
図５は、エンドフェンス１の接触面４が、排出シート載置面５１から排出方向Ａ側にはみ出る排出シートＳの先端部Ｓ１から退避して排出シートＳの束をエンドフェンス１の上に載置する閉時状態を示す。
エンドフェンス１の開時状態では、エンドフェンス１が排出されるシートＳの排出方向Ａ側の延長線上に位置し、接触面４が排出されるシートＳの先端部Ｓ１と接触することによりシートＳを確実に停止させる。
他方、閉時状態では、エンドフェンス１の上面が、排出トレイ５０の排出シート載置面５１よりも低い位置にある。その為に、シートＳの排出動作は阻害されない。そして、エンドフェンス１の上面には、シートＳを先端部Ｓ１等に衝突等によるダメージを与えることなくスタックさせることができる。
【００２１】
図６は、本発明の実施の形態例にかかる排出シート停止保持装置１０におけるエンドフェンス１の右側面図である。図７は、本発明の実施の形態例にかかる排出シート停止保持装置１０における受け台２の正面図である。
図６と図７において、エンドフェンス１が受け台２と対応する両側の対応面には、図６で図示する回動保持手段１１の回動支点１１ａとなる回動軸１１ｂが固定されている。回動軸１１ｂを図７で図示する受け台２のエンドフェンス１と対応する前後の対応面に形成されている回動軸穴１１ｃに挿入することによりエンドフェンス１の下端側を受け台２に対して回動可能に保持されるようになっている。
図６に図示するエンドフェンス１は、受け台２と対応する左側の対応面の回動軸１１ｂの付近に凸形状部１２ａが設けてある。そして、凸形状部１２ａが図７で図示する受け台２のエンドフェンス１と対応する前側の対応面に形成されている接触位置凹形状部１２ｂ及び退避位置凹形状部１３ａに収まることで、開時状態と閉時状態に受け台２に固定される。
【００２２】
図７に図示する受け台２のエンドフェンス１と対応する前側の対応面に形成されている接触位置凹形状部１２ｂの位置は、エンドフェンス１の開時状態のエンドフェンス１に設けられた凸形状部１２ａの位置と一致する。退避位置凹形状部１３ａの位置は、エンドフェンス１の閉時状態のエンドフェンス１に設けられた凸形状部１２ａの位置と一致する。
従って、エンドフェンス１は、受け台２に対して開時状態及び閉時状態において位置が変更されることなく確実に固定される。
更に、図６に図示するように、凸形状部１２ａの先端には、曲率１２ｃが形成されている。凸形状部１２ａの曲面１２ｃは、エンドフェンス１の回動に伴って、図７に図示するように接触位置凹形状部１２ｂと退避位置凹形状部１３ａの間に形成されている摺動案内溝１２ｄに案内されて摺動するようになっている。
従って、エンドフェンス１の開時状態及び閉時状態への回動が容易に行われる。
【００２３】
図８は、本発明の実施の形態例にかかる排出シート停止保持装置１０における締め付け部材３２の基本構成図である。
図８において、締め付け部材３２は、接続固定手段３である押し付け部材３０の一端部を受け台２に固定する。曲げ部３０ａ側の他端部は、締め付け螺子３２ａを締め付け穴３２ｂに挿入して締め付けナット３２ｃで各螺子部等の嵌合で締め付け可能になっている。そして、締め付け螺子３２ａと締め付けナット３２ｃの各螺子部等の嵌合による締め付けにより押し付け力を付勢して受け台２を接続面５２に当接して更に確実に固定することができる。
他方、締め付け螺子３２ａと締め付けナット３２ｂの各螺子部等の嵌合を緩めて押し付け力の付勢を解除することにより、受け台２を接続面５２から離間して取り外すことも容易にできる。
受け台２と排出トレイ５０の接続面５２との接続に押し付け部材３０に締め付け部材３２を用いることにより、排出トレイ５０等にも加工を施すことなく受け台２を接続面５２に接続して固定することができる。また、排出トレイ５０の接続面５２の厚みの違いにも対応できるので、シート処理装置１００のいろいろな種類の原稿画像読取装置や画像形成装置等にも排出シート停止保持装置１０を容易に取り付けることができる。
【００２４】
図９は、本発明の実施の形態例にかかる排出シート停止保持装置１０における押し付け磁石部材３３の基本構成図である。
図９において、押し付け磁石部材３３は、接続固定手段３である押し付け部材３０の一方の端面３３ａを受け台２に固定または一体的であり、他端面３３ｂを磁力で磁性体の接続面５２に押し付けるようになっている。そして、押し付け部材３０には、曲げ部３０ａ、弾性材または締め付け部材３２等を用いなくても、押し付け磁石部材３３の磁力により受け台２を接続面５２に当接して更に容易に固定することができる。
他方、押し付け磁石部材３３の磁力に抗することにより、受け台２を接続面５２から容易に離間して取り外すこともできる。
受け台２と排出トレイ５０の接続面５２との接続に押し付け部材３０である押し付け磁石部材３３を用いることにより、排出トレイ５０等にも加工を施すことなく受け台２を接続面５２に接続して固定することができる。また、排出トレイ５０の接続面５２の厚みの違いにも対応できるので、シート処理装置１００のいろいろな種類の原稿画像読取装置や画像形成装置等にも排出シート停止保持装置１０を容易に取り付けることができる。
【００２５】
図１０は、本発明の実施の形態例にかかる排出シート停止保持装置１０における接着部材３４の基本構成図である。
図１０において、接着部材３４は、接続固定手段３である図示しない接着剤または両面接着テープ３４ａによって、受け台２をシート処理装置１００の排出トレイ５０の接続面５２に着脱可能に当接して固定することができるようになっている。
両面接着テープ３４ａは、一方側端面の接着剤３４ｂを受け台２に接着して固定する。そして、接着剤３４ｂと基台３４ｃを介して一体に接着されている他方側端面の接着剤３４ｄ上の剥離帯３４ｅを剥がして接着剤３４ｄを接続面５２に接着することができるようになっている。そして、両面接着テープ３４ａの接着力により受け台２を接続面５２に当接して更に容易に固定することができる。
他方、接着部材３４の両面接着テープ３４ａ等を溶剤または接着剤３４ｂと接着剤３４ｄ等の接着力に抗して剥がし取ることにより、受け台２を接続面５２から容易に離間して取り外すこともできる。
受け台２と排出トレイ５０の接続面５２との接続には、接着部材３４の両面接着テープ３４ａ等を用いることにより、排出トレイ５０等にも加工を施すことなく受け台２を接続面５２に接続して固定することができる。また、排出トレイ５０の接続面５２の厚みの違いにも影響されないので、シート処理装置１００のいろいろな種類の原稿画像読取装置や画像形成装置等にも排出シート停止保持装置１０を容易に取り付けることができる。
従って、排出トレイ５０の排出方向Ａ側からはみ出る排出シートＳを確実に停止して保持することにより落下を防止する。そして、汎用性、小型化、排出線速アップの高生産性にも優れてシート処理をすることもできる排出シート停止保持装置１０を提供することができる。
【００２６】
図１１は、本発明の実施の形態例にかかる排出シート停止保持装置１０を備える原稿画像読取装置１０１の基本構成図である。
図１１において、シートを処理して排出するシート処理装置１００である原稿画像読取装置１０１は、シートＳを処理するシート処理ユニット１１０である原稿画像読取処理ユニット６０を備えている。そして、原稿画像読取処理ユニット６０でシート形状の原稿Ｏが搬送しながら原稿画像を読み取る処理を行って排出シートＳとして排出されて載置される排出トレイ５０を備えている。更に、排出トレイ５０に排出されて排出方向Ａ側にはみ出る排出シートＳを停止させて保持する上記いずれかの実施形態にかかる排出シート停止保持装置１０を備えている。
原稿画像読取処理ユニット６０において、原稿画像を読み取る処理がされるシートＳであるシート形状の原稿Ｏの束は、原稿セット部６１の原稿台６１ａにセットする。原稿台６１ａにセットされた原稿Ｏの束から繰り出しローラ６１ｂと分離ローラ対６１ｃにより原稿Ｏを一枚毎に分離して給送される。
【００２７】
一枚毎に分離して給送された原稿Ｏは、搬送部６２のレジスト部材６２ａで突当て整合と整合後の引き出し搬送が行われ、ターン部材６２ｂでターンさせて、原稿面を読み取り側の下方に向けて読み取り部６３に搬送される。そして、読み取り部６３のスリットガラス６３ａの下方より読み取り光学系６３ｂで原稿画像の読み取りが行われる。
読み取り光学系６３ｂにより原稿画像の読み取り処理が完了後の原稿Ｏは、排出搬送部６４の給送ローラ６４ａ等と排出ローラ対５３によって、排出シートＳとして排出トレイ５０の排出シート載置面５１上に排出されて載置される。
このとき、排出シートＳが、読み取り処理の生産性を向上させるために排出する線速を更に増速させる場合や排出トレイ５０の排出方向Ａ側の長さ方向の長さ以上の長さを有する場合もある。このような場合に、排出トレイ５０の接続面５２に排出シート停止保持装置１０を当接して固定する。これにより、排出トレイ５０の排出方向Ａ側からはみ出る排出シートＳを確実に停止して保持することにより落下を防止することができる。
【００２８】
排出トレイ５０は、排出シート載置面５１と接続面５２とから成る。そして、接続面５２は、排出シート載置面５１の端面５１ａから下方向に折り曲げた形状であり、汎用性にも優れた形状になっている。接続面５２を磁性材にすることにより更に汎用性が良くなる。その為、新たに設計変更を行って加工を施してストッパ部材等を取り付ける必要がなく、排出トレイ５０の接続面５２に排出シート停止保持装置１０を容易に当接して確実に固定することができる。
従って、排出トレイ５０の排出方向Ａ側からはみ出る読み取り処理が完了後の原稿Ｏである排出シートＳを確実に停止して保持することにより落下を防止する。そして、汎用性、小型化、原稿画像読み取りにおける排出線速アップの高生産性にも優れてシート処理をすることができる排出シート停止保持装置１０を備えるシート処理装置１００である原稿画像読取装置１０１を提供することができる。
【００２９】
図１２は、本発明の実施の形態例にかかる排出シート停止保持装置１０を備える画像形成装置１０２の基本構成図である。
図１２において、シートを処理して排出するシート処理装置１００である画像形成装置１０２は、シートＳを処理するシート処理ユニット１１０である画像形成処理ユニット７０を備えている。そして、画像形成処理ユニット７０でシート形状の被記録媒体Ｐの記録用紙を搬送しながら記録画像を形成する処理を行なって排出シートＳとして排出されて載置される排出トレイ５０を備えている。更に、排出トレイ５０に排出されて排出方向Ａ側にはみ出る排出シートＳを停止させて保持する上記いずれかの実施形態にかかる排出シート停止保持装置１０を備えている。
画像形成装置１０２の画像形成処理ユニット７０は、画像形成部７１の上部に原稿画像読取部７２が載置されている。そして、画像形成部７１は、被記録媒体Ｐの記録用紙を給送する被記録媒体給送部７３の上部に保持されている。
【００３０】
画像形成部７１は、電子写真方式の作像プロセスで利便性、汎用性、高生産性にも優れ高速で高品質のトナーの記録画像を被記録媒体Ｐの記録用紙等に転写して形成するようになっている。
原稿画像読取部７２において、原稿台７２ａに載置される原稿Ｏの原稿画像は、読み取り光学系７２ｂによって光学的に読み取られて原稿画像情報として画像処理部７２ｃで画像処理される。
そして、画像処理部７２ｃで画像処理された原稿画像情報に基づくレーザ光の露光光が、画像形成部７１の書き込み装置７１ａによって、像担持体７１ｂの感光体ドラム上に書き込まれて静電潜像の記録画像を形成する。
像担持体７１ｂの感光体ドラムは、矢印Ｃ方向の時計方向に回転し、この時、帯電装置７１ｃによって表面を一様に帯電され、その帯電面に書き込み装置７１ａにより原稿画像が書き込まれる。これによって、像担持体７１ｂ上に静電潜像の記録画像が形成される。この静電潜像の記録画像は、現像装置７１ｄによって、トナーの可視画像化される。
【００３１】
一方、被記録媒体給送部７３から被記録媒体Ｐが像担持体７１ｂに向けて給送される。そして、転写装置７１ｅによって像担持体７１ｂ上のトナーの記録画像が被記録媒体Ｐに転写される。
他方、転写装置７１ｅにおける転写工程後の像担持体７１ｂ上に残留するトナー等は、クリーニング装置７１ｇによって除去されて次工程に備えられる。
そして、転写装置７１ｅで転写工程後の被記録媒体Ｐは、搬送されて定着装置７１ｆに達する。定着装置７１ｆに達した被記録媒体Ｐに形成された未定着トナーの記録画像は加熱と加圧で定着されて排出ローラ対５３によって、排出シートＳとして排出トレイ５０の排出シート載置面５１上に排出されて載置される。
このとき、排出シートＳが、記録画像を形成する処理の生産性を向上させるために排出する線速を更に増速させる場合や排出トレイ５０の排出方向Ａ側の長さ方向の長さ以上の長さを有する場合もある。このような場合に、排出トレイ５０の接続面５２に排出シート停止保持装置１０を当接して固定する。これにより、排出トレイ５０の排出方向Ａ側からはみ出る排出シートＳを確実に停止して保持することにより落下を防止することができる。
【００３２】
排出トレイ５０は、排出シート載置面５１と接続面５２とから成る。そして、接続面５２は、排出シート載置面５１の端面５１ａから下方向に折り曲げた形状にすることにより汎用性にも優れている。接続面５２を磁性材にすることにより更に汎用性が良くなる。その為、新たに設計変更を行って加工を施してストッパ部材等を取り付ける必要がなく、排出トレイ５０の接続面５２に排出シート停止保持装置１０を容易に当接して確実に固定することができる。
従って、排出トレイ５０の排出方向Ａ側からはみ出る記録画像を形成する処理が完了後の原稿Ｏである排出シートＳを確実に停止して保持することにより落下を防止する。そして、汎用性、小型化、記録画像形成における排出線速アップ等の高生産性にも優れてシート処理をすることができる排出シート停止保持装置１０を備えるシート処理装置１００である画像形成装置１０２を提供することができる。
【００３３】
図１３は、本発明の実施の形態例にかかる排出シート停止保持装置１０を備える後処理装置１０３の基本構成図である。
図１３において、シートを処理して排出するシート処理装置１００である後処理装置１０３は、シートＳを処理するシート処理ユニット１１０である後処理ユニット８０を備えている。そして、後処理ユニット８０で記録画像を形成した後のシート形状の被記録媒体Ｐを搬送しながら画像形成後の後処理を行って排出シートＳとして排出されて載置される排出トレイ５０ａ、ｂ、ｃを備えている。更に、排出トレイ５０ａ、ｂ、ｃに排出されて排出方向Ａ側にはみ出る排出シートＳを停止させて保持する上記いずれかの実施形態にかかる排出シート停止保持装置１０を備えている。
後処理装置１０３の後処理ユニット８０は、画像形成装置１０２の側部に取り付けられて、画像形成装置１０２より排出される被記録媒体Ｐを、被記録媒体搬送路８１の入口に配置される入口搬送路８１ａ内に導かれる。パンチユニット８２を備える被記録媒体搬送路８１内に導かれて搬送される被記録媒体Ｐは、分岐部８３の分岐爪８３ａと分岐爪８３ｂ等によって各方向に振り分けられて搬送される構成になっている。
【００３４】
入口搬送路８１ａ内に導かれた被記録媒体Ｐは、パンチユニット８２で穴あけの後処理をして分岐部８３で振り分けられて、上搬送路８１ｂに振り分けられる。
または、パンチユニット８２を通過して分岐部８３でシフトトレイ搬送路８１ｃにも振り分けられる。更に、パンチユニット８２を通過して分岐部８３で整合綴じ搬送路８１ｄにも振り分けられる。
被記録媒体Ｐは分岐部８３で振り分けられた後に、各搬送路に備えるシフトユニット８４で仕分け、整合綴じユニット８５で整合及びスティプル綴じ等、折りユニット８６で折り等の各後処理が行われて各排出路に送り出される。
そして、各排出路に送り出される被記録媒体Ｐは、排出ローラ対５３の上排出ローラ対５３ａ、シフト排出ローラ対５３ｂ、下排出ローラ対５３ｃに到達する。
そこで、被記録媒体Ｐは、各排出ローラ対によって、排出シートＳとして排出トレイ５０の上排出トレイ５０ａ、シフト排出トレイ５０ｂ、下排出トレイ５０ｃの各排出シート載置面５１上に排出されて載置される。
【００３５】
このとき、排出シートＳが、穴あけ等の後処理の生産性を向上させるために排出する線速を更に増速させる場合や上排出トレイ５０ａ等の排出方向Ａ側の長さ方向の長さ以上の長さを有する場合もある。このような場合に、上排出トレイ５０ａ等の接続面５２に排出シート停止保持装置１０を当接して固定する。これにより、上排出トレイ５０ａ等の排出方向Ａ側からはみ出る排出シートＳを確実に停止して保持することにより落下を防止することができる。
上排出トレイ５０ａ等は、排出シート載置面５１と接続面５２とから成る。そして、接続面５２は、排出シート載置面５１の端面５１ａから下方向に折り曲げた形状であり、汎用性にも優れた形状になっている。接続面５２を磁性材にすることにより更に汎用性が良くなる。その為、新たに設計変更を行って加工を施してストッパ部材等を取り付ける必要がなく、上排出トレイ５０ａ等の接続面５２に排出シート停止保持装置１０を容易に当接して確実に固定することができる。
従って、上排出トレイ５０ａ等の排出方向Ａ側からはみ出る画像形成後の後処理が完了後の被記録媒体Ｐである排出シートＳを確実に停止して保持することにより落下を防止する。そして、汎用性、小型化、画像形成後の後処理における排出線速アップの高生産性にも優れてシート処理をすることができる排出シート停止保持装置１０を備えるシート処理装置１００である後処理装置１０３を提供することができる。
【図面の簡単な説明】
【００３６】
【図１】本発明の実施の形態例にかかる排出シート停止保持装置の基本構成の正面図である。
【図２】本発明の実施の形態例にかかる排出シート停止保持装置の概略外観の斜視図である。
【図３】本発明の実施の形態例にかかる排出シート停止保持装置におけるエンドフェンスの回動状態を示す正面図である。
【図４】本発明の実施の形態例にかかる排出シート停止保持装置におけるエンドフェンスが開時状態の正面図である。
【図５】本発明の実施の形態例にかかる排出シート停止保持装置におけるエンドフェンスが閉時状態の正面図である。
【図６】本発明の実施の形態例にかかる排出シート停止保持装置におけるエンドフェンスの右側面図である。
【図７】本発明の実施の形態例にかかる排出シート停止保持装置における受け台の正面図である。
【図８】本発明の実施の形態例にかかる排出シート停止保持装置における締め付け部材の基本構成図である。
【図９】本発明の実施の形態例にかかる排出シート停止保持装置における押し付け磁石部材の基本構成図である。
【図１０】本発明の実施の形態例にかかる排出シート停止保持装置における接着部材の基本構成図である。
【図１１】本発明の実施の形態例にかかる排出シート停止保持装置を備える原稿画像読取装置の基本構成図である。
【図１２】本発明の実施の形態例にかかる排出シート停止保持装置を備える画像形成装置の基本構成図である。
【図１３】本発明の実施の形態例にかかる排出シート停止保持装置を備える後処理装置の基本構成図である。
【符号の説明】
【００３７】
１  エンドフェンス、２  受け台、３  接続固定手段、４  接触面、１０  排出シート停止保持装置、１１  回動保持手段、１１ａ  回動支点、１１ｂ  回動軸、１１ｃ  回動軸穴、１２  停止位置固定手段、１２ａ  凸形状部、１２ｂ  接触位置凹形状部、１２ｃ  曲面、１２ｄ  摺動案内溝、１３  通過位置固定手段、１３ａ  退避位置凹形状部、２０  排出シート保持面、３０  押し付け部材、３０ａ  曲げ部、３０ｂ  締め付け穴、３１  摩擦部材、３２  締め付け部材、３２ａ  締め付け螺子、３２ｂ  締め付け穴、３２ｃ  締め付けナット、３３  押し付け磁石部材、３３ａ  一方の端面、３３ｂ  他方の端面、３４  接着部材、３４ａ  両面接着テープ、３４ｂ  接着剤、３４ｃ  基台、３４ｄ  接着剤、３４ｅ  剥離帯、５０  排出トレイ、５０ａ  上排出トレイ、５０ｂ  シフト排出トレイ、５０ｃ  下排出トレイ、５１  排出シート載置面、５１ａ  端面、５２  接続面、５３  排出ローラ対、５３ａ  上排出ローラ対、５３ｂ  シフト排出ローラ対、５３ｃ  下排出ローラ対、６０  原稿画像読取処理ユニット、６１  原稿セット部、６１ａ  原稿台、６１ｂ  繰り出しローラ、６１ｃ  分離ローラ対、６２  搬送部、６２ａ  レジスト部材、６２ｂ  ターン部材、６３  読み取り部、６３ａ  スリットガラス、６３ｂ  読み取り光学系、６４  排出搬送部、６４ａ  給送ローラ、７０  画像形成処理ユニット、７１  画像形成部、７１ａ  書き込み装置、７１ｂ  像担持体、７１ｃ  帯電装置、７１ｄ  現像装置、７１ｅ  転写装置、７１ｆ  定着装置、７１ｇ  クリーニング装置、７２  原稿画像読取部、７２ａ  原稿台、７２ｂ  読み取り光学系、７２ｃ  画像処理部、７３  被記録媒体給送部、８０  後処理ユニット、８１  被記録媒体搬送路、８１ａ  入口搬送路、８１ｂ  上搬送路、８１ｃ  シフトトレイ搬送路、８１ｄ  整合綴じ搬送路、８２  パンチユニット、８３  分岐部、８３ａ、８３ｂ  分岐爪、８４  シフトユニット、８５  整合綴じユニット、８６  折りユニット、１００  シート処理装置、１０１  原稿画像読取装置、１０２  画像形成装置、１０３  後処理装置、１１０  シート処理ユニット
【図１】
2010143717.tif 000003
【図２】
2010143717.tif 000004
【図３】
2010143717.tif 000005
【図４】
2010143717.tif 000006
【図５】
2010143717.tif 000007
【図６】
2010143717.tif 000008
【図７】
2010143717.tif 000009
【図８】
2010143717.tif 000010
【図９】
2010143717.tif 000011
【図１０】
2010143717.tif 000012
【図１１】
2010143717.tif 000013
【図１２】
2010143717.tif 000014
【図１３】
2010143717.tif 000015